【手続補正書】
【提出日】平成19年2月20日(2007.2.20)
【手続補正１】
【補正対象書類名】特許請求の範囲
【補正対象項目名】全文
【補正方法】変更
【補正の内容】
【特許請求の範囲】
【請求項１】
外部から供給された発振信号の周期に基づいてオン／オフを繰り返すスイッチング手段、前記スイッチング手段がオン状態にあるときに充電され、かつ前記スイッチング手段がオフ状態にあるときに放電する容量素子、前記容量素子が放電状態にあるときに前記容量素子の放電電流を流すＭＯＳトランジスタ、および前記容量素子の電圧に基づいて前記発振信号の有無を検出する検出手段を有する発振停止検出回路と、
前記ＭＯＳトランジスタのゲートに一定電位のゲートバイアスを印加する定電圧源と、
を備え、
前記定電圧源は、外部から供給された電源電圧に基づいて所定のリファレンス電位を発生するリファレンス回路、前記リファレンス回路から出力されたリファレンス電位および正の所定の電位がそれぞれ負の入力端子および正の入力端子に入力され、かつ出力端子からレギュレート電位を出力するオペアンプ、および前記オペアンプの正の入力端子に入力される前記所定の電位を発生する電位発生回路を有するレギュレータで構成されており、
前記発振停止検出回路の前記ＭＯＳトランジスタのゲートに、前記電位発生回路で発生した前記所定の電位を印加することを特徴とする発振停止検出システム。
【請求項２】
前記リファレンス回路は、高電位側電源電位とＰチャネルＭＯＳトランジスタのしきい値との電位差分だけ高電位側電源電位から降下した電位をリファレンス電位として出力し、
前記電位発生回路は、低電位側電源電位とＮチャネルＭＯＳトランジスタのしきい値との電位差分だけ高電位側電源電位から降下した電位を前記所定の電位として出力することを特徴とする請求項１に記載の発振停止検出システム。
【請求項３】
前記レギュレータは、レギュレート電位を出力する出力端子と低電位側電源電位の印加点との間に、出力段のアクチュエータとして、ＰチャネルＭＯＳトランジスタよりなるソースフォロワを有することを特徴とする請求項１または２に記載の発振停止検出システム。
【請求項４】
発振信号を出力する発振回路と、
前記発振回路の発振が停止したことを検出して発振停止検出信号を出力する発振停止検出回路と、
電源電圧を降圧して一定電位のレギュレート電圧を出力するレギュレータと、
前記発振停止検出回路から出力された発振停止検出信号に基づいて、前記発振回路に印加する電圧を、前記レギュレータから出力されたレギュレート電圧と電源電圧とで切り替えるスイッチ手段と、
を備えることを特徴とする電子機器。
【請求項５】
前記スイッチ手段は、前記発振停止検出回路から出力された発振停止検出信号の電位が第１の電位であるときにオン状態となって、前記発振回路に前記レギュレータから出力されたレギュレート電圧を印加し、かつ前記発振停止検出信号の電位が第２の電位であるときにオフ状態となる第１のスイッチ素子と、前記発振停止検出信号の電位が第２の電位であるときにオン状態となって、前記発振回路に電源電圧を印加し、かつ前記発振停止検出信号の電位が第１の電位であるときにオフ状態となる第２のスイッチ素子を有することを特徴とする請求項４に記載の電子機器。
【請求項６】
さらに、ロジック回路を有し、
前記スイッチ手段は、前記発振停止検出回路から出力された発振停止検出信号に基づい
て、前記ロジック回路に印加する電圧を、前記レギュレータから出力されたレギュレート電圧と電源電圧とで切り替えることを特徴とする請求項４に記載の電子機器。
【請求項７】
前記スイッチ手段は、前記発振停止検出回路から出力された発振停止検出信号の電位が第１の電位であるときにオン状態となって、前記発振回路および前記ロジック回路に前記レギュレータから出力されたレギュレート電圧を印加し、かつ前記発振停止検出信号の電位が第２の電位であるときにオフ状態となる第１のスイッチ素子と、前記発振停止検出信号の電位が第２の電位であるときにオン状態となって、前記発振回路および前記ロジック回路に電源電圧を印加し、かつ前記発振停止検出信号の電位が第１の電位であるときにオフ状態となる第２のスイッチ素子を有することを特徴とする請求項６に記載の電子機器。
【請求項８】
前記第１のスイッチ素子および前記第２のスイッチ素子は、前記発振停止検出回路から出力された発振停止検出信号に基づいてオン／オフするＭＯＳトランジスタで構成されていることを特徴とする請求項５または７に記載の電子機器。
【請求項９】
前記発振停止検出回路および前記レギュレータは、上記請求項１〜３のいずれか一つに記載の発振停止検出システムにより構成されていることを特徴とする請求項４〜８のいずれか一つに記載の電子機器。
【手続補正２】
【補正対象書類名】明細書
【補正対象項目名】００１２
【補正方法】変更
【補正の内容】
【００１２】
上述した目的を達成するため、この発明にかかる発振停止検出システムは、外部から供給された発振信号の周期に基づいてオン／オフを繰り返すスイッチング手段、前記スイッチング手段がオン状態にあるときに充電され、かつ前記スイッチング手段がオフ状態にあるときに放電する容量素子、前記容量素子が放電状態にあるときに前記容量素子の放電電流を流すＭＯＳトランジスタ、および前記容量素子の電圧に基づいて前記発振信号の有無を検出する検出手段を有する発振停止検出回路と、前記ＭＯＳトランジスタのゲートに一定電位のゲートバイアスを印加する定電圧源と、を備え、前記定電圧源は、外部から供給された電源電圧に基づいて所定のリファレンス電位を発生するリファレンス回路、前記リファレンス回路から出力されたリファレンス電位および正の所定の電位がそれぞれ負の入力端子および正の入力端子に入力され、かつ出力端子からレギュレート電位を出力するオペアンプ、および前記オペアンプの正の入力端子に入力される前記所定の電位を発生する電位発生回路を有するレギュレータで構成されており、前記発振停止検出回路の前記ＭＯＳトランジスタのゲートに、前記電位発生回路で発生した前記所定の電位を印加することを特徴とする。
【手続補正３】
【補正対象書類名】明細書
【補正対象項目名】００１３
【補正方法】変更
【補正の内容】
【００１３】
この発明によれば、外部から発振信号が供給されている間は、スイッチング手段のオン／オフ動作の繰り返しに伴って容量素子は充放電を繰り返すが、定電圧源によるＭＯＳトランジスタのゲートバイアスを制御して、放電電流を低い一定の電流量に抑えることにより、容量素子は常に十分に充電された状態となり、容量素子の、検出手段に接続された電極の電位は検出手段のしきい値に達しない。発振が停止すると、容量素子は放電し続け、それに伴って容量素子の電圧が変化し続ける。そして、容量素子の、検出手段に接続された電極の電位が検出手段のしきい値を超えると、検出手段から出力される発振停止検出信号の電位が反転する。容量素子の電圧変化が発振停止検出信号の電位を反転させるまでの時間、すなわち発振停止検出時間は、放電電流の電流量によりほぼ決まるので、発振が停止したことを正確に検出することができる。また、レギュレータにより、発振停止検出回路のＭＯＳトランジスタのゲートバイアスが正確に生成されるので、このＭＯＳトランジスタを流れる放電電流を低い一定の電流量に精度よく制御することができる。従って、発振停止検出時間が正確になり、発振が停止したことを安定して正確に検出することができる。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】
この発明にかかる発振停止検出システムは、前記リファレンス回路は、高電位側電源電位とＰチャネルＭＯＳトランジスタのしきい値との電位差分だけ高電位側電源電位から降下した電位をリファレンス電位として出力し、前記電位発生回路は、低電位側電源電位とＮチャネルＭＯＳトランジスタのしきい値との電位差分だけ高電位側電源電位から降下した電位を前記所定の電位として出力することを特徴とする。
【手続補正７】
【補正対象書類名】明細書
【補正対象項目名】００１７
【補正方法】変更
【補正の内容】
【００１７】
この発明によれば、電位発生回路から、低電位側電源電位とＮチャネルＭＯＳトランジスタのしきい値との電位差分だけ高電位側電源電位から降下した電位が出力されるので、発振停止検出回路のＭＯＳトランジスタのゲートバイアスが正確に得られる。また、リファレンス回路から、高電位側電源電位とＰチャネルＭＯＳトランジスタのしきい値との電位差分だけ高電位側電源電位から降下した電位が出力されるので、正確なリファレンス電位が得られる。レギュレート電位は、高電位側電源電位とＰチャネルＭＯＳトランジスタのしきい値との電位差分だけ高電位側電源電位から降下した電位と、低電位側電源電位とＮチャネルＭＯＳトランジスタのしきい値との電位差分だけ高電位側電源電位から降下した電位とに基づいて決まるので、正確なレギュレート電位が得られる。
【手続補正８】
【補正対象書類名】明細書
【補正対象項目名】００１８
【補正方法】変更
【補正の内容】
【００１８】
この発明にかかる発振停止検出システムは、前記レギュレータは、レギュレート電位を出力する出力端子と低電位側電源電位の印加点との間に、出力段のアクチュエータとして、ＰチャネルＭＯＳトランジスタよりなるソースフォロワを有することを特徴とする。
【手続補正９】
【補正対象書類名】明細書
【補正対象項目名】００１９
【補正方法】変更
【補正の内容】
【００１９】
この発明によれば、アクチュエータとなるＰチャネルＭＯＳトランジスタにおいて、ゲートと、高電位側電源電位が印加されたバルクとの間に寄生容量が生じるので、低電位側電源電位が変動しても、その変動は、このＰチャネルＭＯＳトランジスタのドレイン側で吸収される。従って、低電位側電源電位の変動の影響を受けることなく、このＰチャネルＭＯＳトランジスタのソースが接続されているレギュレート電位の出力端子からレギュレート電位が出力される。
【手続補正１０】
【補正対象書類名】明細書
【補正対象項目名】００２０
【補正方法】変更
【補正の内容】
【００２０】
また、上述した目的を達成するため、この発明にかかる電子機器は、発振信号を出力する発振回路と、前記発振回路の発振が停止したことを検出して発振停止検出信号を出力する発振停止検出回路と、電源電圧を降圧して一定電位のレギュレート電圧を出力するレギュレータと、前記発振停止検出回路から出力された発振停止検出信号に基づいて、前記発振回路に印加する電圧を、前記レギュレータから出力されたレギュレート電圧と電源電圧とで切り替えるスイッチ手段と、を備えることを特徴とする。
【手続補正１１】
【補正対象書類名】明細書
【補正対象項目名】００２１
【補正方法】変更
【補正の内容】
【００２１】
この発明によれば、発振回路が発振している間は、発振回路にレギュレート電圧が印加されているが、発振停止検出回路が、発振回路の発振が停止したことを検出すると、スイッチ手段により発振回路に印加する電圧をレギュレート電圧から電源電圧に切り替える。それによって、発振の再起動時に発振回路が電源電圧で駆動されるので、発振回路の発振を迅速に再起動させることができる。
【手続補正１２】
【補正対象書類名】明細書
【補正対象項目名】００２２
【補正方法】変更
【補正の内容】
【００２２】
この発明にかかる電子機器は、前記スイッチ手段は、前記発振停止検出回路から出力された発振停止検出信号の電位が第１の電位であるときにオン状態となって、前記発振回路に前記レギュレータから出力されたレギュレート電圧を印加し、かつ前記発振停止検出信号の電位が第２の電位であるときにオフ状態となる第１のスイッチ素子と、前記発振停止検出信号の電位が第２の電位であるときにオン状態となって、前記発振回路に電源電圧を印加し、かつ前記発振停止検出信号の電位が第１の電位であるときにオフ状態となる第２のスイッチ素子を有することを特徴とする。
【手続補正１３】
【補正対象書類名】明細書
【補正対象項目名】００２３
【補正方法】変更
【補正の内容】
【００２３】
この発明によれば、発振停止検出信号の電位に応じて、第１のスイッチ素子と第２のスイッチ素子のいずれか一方のみオン状態となり、発振回路にレギュレート電圧か電源電圧を印加するので、発振の再起動時にレギュレート電圧を電源電圧に短絡しなくてもよい。レギュレート電圧を電源電圧に短絡した場合には、その影響で発振停止検出回路が誤動作し、発振回路の発振が停止したと誤検出するおそれがある。それに対して、レギュレート電圧を電源電圧に短絡しないので、発振停止検出回路が発振回路の発振停止を誤って検出するのを防ぐことができる。従って、発振回路の発振停止を正確に検出し、発振を正確、かつ迅速に再起動させることができる。
【手続補正１４】
【補正対象書類名】明細書
【補正対象項目名】００２４
【補正方法】変更
【補正の内容】
【００２４】
この発明にかかる電子機器は、さらに、ロジック回路を有し、前記スイッチ手段は、前記発振停止検出回路から出力された発振停止検出信号に基づいて、前記ロジック回路に印加する電圧を、前記レギュレータから出力されたレギュレート電圧と電源電圧とで切り替えることを特徴とする。
【手続補正１５】
【補正対象書類名】明細書
【補正対象項目名】００２５
【補正方法】変更
【補正の内容】
【００２５】
この発明によれば、発振回路が発振している間は、発振回路にレギュレート電圧が印加されているが、発振停止検出回路が、発振回路の発振が停止したことを検出すると、スイッチ手段により発振回路およびロジック回路に印加する電圧をレギュレート電圧から電源電圧に切り替える。それによって、発振の再起動時に発振回路およびロジック回路が電源電圧で駆動されるので、発振回路の発振を迅速に再起動させることができる。
【手続補正１６】
【補正対象書類名】明細書
【補正対象項目名】００２６
【補正方法】変更
【補正の内容】
【００２６】
この発明にかかる電子機器は、前記スイッチ手段は、前記発振停止検出回路から出力された発振停止検出信号の電位が第１の電位であるときにオン状態となって、前記発振回路および前記ロジック回路に前記レギュレータから出力されたレギュレート電圧を印加し、かつ前記発振停止検出信号の電位が第２の電位であるときにオフ状態となる第１のスイッチ素子と、前記発振停止検出信号の電位が第２の電位であるときにオン状態となって、前記発振回路および前記ロジック回路に電源電圧を印加し、かつ前記発振停止検出信号の電位が第１の電位であるときにオフ状態となる第２のスイッチ素子を有することを特徴とする。
【手続補正１７】
【補正対象書類名】明細書
【補正対象項目名】００２７
【補正方法】変更
【補正の内容】
【００２７】
この発明によれば、発振停止検出信号の電位に応じて、第１のスイッチ素子と第２のスイッチ素子のいずれか一方のみオン状態となり、発振回路にレギュレート電圧か電源電圧を印加するので、発振の再起動時にレギュレート電圧を電源電圧に短絡しなくてもよい。レギュレート電圧を電源電圧に短絡した場合には、その影響で発振停止検出回路が誤動作し、発振回路の発振が停止したと誤検出するおそれがある。それに対して、レギュレート電圧を電源電圧に短絡しないので、発振停止検出回路が発振回路の発振停止を誤って検出するのを防ぐことができる。従って、発振回路の発振停止を正確に検出し、発振を正確、かつ迅速に再起動させることができる。
【手続補正１８】
【補正対象書類名】明細書
【補正対象項目名】００２８
【補正方法】変更
【補正の内容】
【００２８】
この発明にかかる電子機器は、前記第１のスイッチ素子および前記第２のスイッチ素子は、前記発振停止検出回路から出力された発振停止検出信号に基づいてオン／オフするＭＯＳトランジスタで構成されていることを特徴とする。
【手続補正１９】
【補正対象書類名】明細書
【補正対象項目名】００２９
【補正方法】変更
【補正の内容】
【００２９】
この発明にかかる電子機器は、前記発振停止検出回路および前記レギュレータは、上記いずれか一つの発振停止検出システムにより構成されていることを特徴とする。